(57)【要約】  高効率リパーゼ酵素類および６．５より大きい高予備アルカリ度を含む特定の洗剤処方、および過酸化水素供給源および過酸またはその前駆体を含む漂白剤を、Ａｖｏｘ対過酸の比が１：１〜３５：１になるように含有する洗剤組成物が、ジアシルペルオキシド生成の制御を可能とする。好ましい処方は、アルキルエトキシル化サルフェート類またはＭＥＳまたは非イオン性界面活性剤と組み合わされるアルキルベンゼンスルホネート類から選択される界面活性剤を含む。【特許請求の範囲】
【請求項１】
過酸化水素供給源、疎水性過酸および／またはその前駆体であって、化学式Ｒ−（Ｃ＝Ｏ）−Ｌ（式中、Ｒは６〜１４個、好ましくは８〜１２個の炭素原子を有するアルキル基であり、且つＬは脱離基である）を有することと、（ａ）フミコラ・ラヌギノサ（Humicola lanuginosa）菌株ＤＳＭ４１０９由来の野生型リパーゼとの同一性が少なくとも９０％であり、（ｂ）該野生型リパーゼと比較した場合に、Ｅ１またはＱ２４９から１５オングストローム以内の三次元構造表面における電気的に中性のまたは負に荷電したアミノ酸の正に荷電したアミノ酸による置換を含み、および（ｃ）Ｃ末端においてペプチド添加を含み、および／または（ｄ）Ｎ末端においてペプチド添加を含み、および／または（ｅ）次の制限、すなわち、（ｉ）該野生型リパーゼのＥ２１０の位置に負のアミノ酸を含む；（ｉｉ）該野生型リパーゼの９０〜１０１の位置に対応する領域に負に荷電したアミノ酸を含む；および（ｉｉｉ）該野生型リパーゼのＮ９４に対応する位置に中性または負のアミノ酸を含み、および／または該野生型の９０〜１０１の位置に対応する領域に負または中性の正味の電荷を有すること、を満たすアミノ酸配列を有するポリペプチドであるリパーゼ酵素とを含む洗剤組成物であって、前記洗剤組成物が６．５超の予備アルカリ度を有し、有効酸素（過酸化物供給源より）および過酸および／またはその前駆体の数量が、有効酸素（前記過酸化物供給源より）対過酸のモル比が１：１〜３５：１である前記洗剤組成物を提供するようなものであることを特徴とする洗剤組成物。
【請求項２】
８より大きい、または９より大きい予備アルカリ度を有する、請求項１に記載の洗剤組成物。
【請求項３】
有効酸素対過酸の比が、２：１〜８：１である、請求項１または２に記載の洗剤組成物。
【請求項４】
前記疎水性漂白活性化剤が、ノナノイルオキシベンゼンスルホネートを含む、請求項１〜３のいずれか１項に記載の洗剤組成物。
【請求項５】
０．１〜４０重量％のアルコキシル化アルキルサルフェート界面活性剤および／または０．１〜４０重量％のＣ１〜４アルキルエステルスルホネート、好ましくはメチルエステルスルホネート（ＭＥＳ）を、好ましくはアルキルベンゼンスルホネート界面活性剤と組み合わせて５〜４０重量％の範囲で含む、請求項１〜４のいずれか１項に記載の洗剤組成物。
【請求項６】
０．０５〜２重量％の量にて、好ましくは脂肪酸アミド類、脂肪酸アルカノールアミド類、ベタイン類、スルホベタイン類およびアミンオキシド類またはこれらの混合物から選択される泡促進剤を含む、請求項１〜５のいずれか１項に記載の洗剤組成物。
【請求項７】
０．０５〜５重量％、好ましくは０．１〜１重量％のテトラアセチルエチレンジアミン（ＴＡＥＤ）を含む、請求項１〜６のいずれか１項に記載の洗剤組成物。
【請求項８】
固形洗剤組成物、好ましくは粒状である、請求項１〜７のいずれか１項に記載の洗剤組成物。
【請求項９】
請求項１〜８のいずれか一項に記載の前記洗剤組成物を含む、水溶液中で繊維物品を洗濯する工程を含む、洗浄方法。
【請求項１０】
前記水溶液が３０℃未満の温度である、請求項９に記載の洗浄方法。
【発明の詳細な説明】
【技術分野】
【０００１】
本発明は、洗剤組成物、特に洗濯洗剤およびとりわけ脂肪分解酵素またはリパーゼ酵素を含む洗剤に関する。
【背景技術および従来技術】
【０００２】
多数の洗剤組成物は、洗浄される品物の染み除去を促進するための漂白系を含む。これらの漂白系は、一般に過ホウ酸塩または過炭酸塩などの過酸化水素供給源を含む。過酸化水素漂白剤の性能は、過酸化水素（または酸素供給源）に加えて、過酸（予め形成されてもよくまたは過酸前駆体（漂白活性化剤と呼ばれることもある）であってもよい）を使用することによってしばしば向上される。使用に際して、前記漂白活性化剤は過剰の過酸化水素を反応して、過酸漂白種を形成する。典型的な洗濯処方は、過剰の過酸化水素供給源を使用する。
【０００３】
最も一般的な漂白活性化剤は、ＴＡＥＤ（テトラアセチルエチレンジアミン）であり、過酸化水素との反応で形成される活性漂白種（過酢酸）である。他の活性化剤は、より長い炭素鎖を有する漂白種をもたらし、それは疎水性である。これらは効果的な漂白を生み出すのに望ましく、特に油汚れに望ましい。
【０００４】
このような疎水性漂白活性化剤類の周知の１例は、ノナノイルオキシベンゼンスルホネート（ＮＯＢＳ）である。本漂白活性化剤は、反応して、反応性の強い漂白種である過ノナン酸を形成する。しかし、本漂白種は前記漂白活性化剤自体と反応し、ジ−Ｃ９アシル過酸化物を形成すること；他の疎水性漂白活性化剤類が反応してそれらに対応するジアシル過酸化物を同様に形成することが明らかとなった。これらの種は、強力な漂白種であり、且つ洗浄プロセスにおいて有用であるが、それらは不溶性である。いくつかの型の洗濯機では、洗浄水が洗濯機から流れ出た際に、これらの化合物類が洗濯機の集水孔に沈澱する傾向を示すことがある。従って、強力な漂白剤はこれらの領域に人工的に濃縮される場合があるので、これらの領域にて使用された材料（例えば、ポリマー製および／またはゴム製集水孔）が高濃度の漂白剤に対して脆弱であるいくつかの型の洗濯機では、損傷が時間とともに発生する場合があることが明らかとなった。
【０００５】
疎水性漂白剤の利点を実現し、同時に洗浄装置への損傷を極力抑えるか、または回避するように、この問題をいかに緩和させるかというのが、本発明が対処すべき問題である。
【０００６】
脂肪性汚れをトリグリセリド類へ分解することによって脂肪性汚れを除去するために、１９８０年代後半から、リパーゼ酵素類が洗剤に使用されてきた。
【発明の開示】
【発明が解決しようとする課題】
【０００７】
比較的最近まで、主な市販のリパーゼ酵素類（例えば、リポラーゼ（商標名ノボザイムズ）が、洗浄工程の乾燥段階でのより低い水分レベルにて、特に効果的に機能した。酵素の活性部位が、洗浄プロセス中に水に占有され、これによって乾燥工程中の洗濯した衣服に残った汚れ上でのみ脂肪の分解が顕著となり、この分解された脂肪が次の洗浄工程で除去されるので、これらの酵素類は第２洗浄工程でのみ顕著な洗浄を生み出す傾向がある。しかし、最近になって、洗浄プロセスの洗浄段階中においても効率的に機能するより効率的なリパーゼ類が開発された。これによって第２洗浄工程での洗浄と同様に、第１洗浄サイクルに、リパーゼ酵素に起因する洗浄の顕著な改善を見出すことができる。こうした酵素の例は、ＰＣＴ国際公開特許ＷＯ００／６００６３および技術公開ＩＰ６５５３Ｄに記載されているとおりである。このような酵素類は、以下で一次洗浄リパーゼと呼ばれる。こうした酵素の例としては、三次元構造体のＮ末端近辺に正に帯電したアミノ酸を有する１つ以上の置換を含む、ある種のリポラーゼ変異型（野生型フミコラ・ラヌギノサ（Humicola lanuginosa））が挙げられる。前記変異型は更に、Ｃ末端でのペプチド添加を含み並びに／または９０〜１０１および１０の位置にある帯電したアミノ酸に対するある種の制限を満足させるものでなければならない。本発明者らは、これら第１洗浄用酵素（wash enzymes）を特種な洗剤処方との組み合わせで使用することにより、これらの疎水性漂白活性化剤類の使用が良好な染み除去を実現し、同時に上述の欠点のいずれでも低減することを見出した。
【０００８】
本発明の定義
本発明によれば、過酸化水素供給源、疎水性過酸および／またはその前駆体であって、化学式Ｒ−（Ｃ＝Ｏ）−Ｌ（式中、Ｒは６〜１４個、好ましくは８〜１２個の炭素原子を有するアルキル基であり、且つＬは脱離基である）を有することと、（ａ）フミコラ・ラヌギノサ（Humicola lanuginosa）菌株ＤＳＭ４１０９由来の野生型リパーゼとの同一性が少なくとも９０％であり、（ｂ）該野生型リパーゼと比較した場合に、Ｅ１またはＱ２４９から１５オングストローム以内の三次元構造表面における電気的に中性のまたは負に荷電したアミノ酸の正に荷電したアミノ酸による置換を含み、および（ｃ）Ｃ末端においてペプチド添加を含み、および／または（ｄ）Ｎ末端においてペプチド添加を含み、および／または（ｅ）次の制限、すなわち、（ｉ）該野生型リパーゼのＥ２１０の位置に負のアミノ酸を含む；（ｉｉ）該野生型リパーゼの９０〜１０１の位置に対応する領域に負に荷電したアミノ酸を含む；および（ｉｉｉ）該野生型リパーゼのＮ９４に対応する位置に中性または負のアミノ酸を含み、および／または該野生型の９０〜１０１の位置に対応する領域に負または中性の正味の電荷を有すること、を満たすアミノ酸配列を有するポリペプチドであるリパーゼとを含む洗剤組成物であって、前記洗剤組成物が６．５超の予備アルカリ度を有し、有効酸素（過酸化物供給源より）および／またはその前駆体の数量が、有効酸素（前記過酸化物供給源より）対過酸のモル比が１：１〜３５：１である前記洗剤組成物を提供するようなものであることを特徴とする洗剤組成物が提供される。
【課題を解決するための手段】
【０００９】
本発明によれば、過酸化水素供給源、化学式Ｒ−（Ｃ＝Ｏ）−Ｌを有し、式中Ｒが６〜１４個、好ましくは８〜１２個の炭素原子を有するアルキル基であり、且つＬが脱離基である疎水性漂白活性化剤、後述のラード一次洗浄試験を使用した場合にＷＴリポラーゼ（ノボザイムズ社（Novozymes）の商標名）によって生じるものよりも良好な一次洗浄ラード除去性能を生じるリパーゼ酵素とを含む洗剤組成物であって、前記洗剤組成物が６．５より大きい予備アルカリ度を有し、酸素供給源およびび過酸の数量が、有効酸素（過酸化物供給源より）対過酸のモル比が、１：１〜３５：１である前記洗剤組成物を提供するようなものであることを特徴とする洗剤組成物も提供される。
【００１０】
ノボザイムズ社（Novozymes）からのＷＴリポラーゼは、米国特許第５８６９４３８号（ｓｅｑ＃２）に記載されている。
【００１１】
本発明者らは、一次洗浄リパーゼが洗剤組成物内にて高予備アルカリ度と共に且つ有効酸素（前記過酸化物供給源より）対過酸のモル比で１：１〜３５：１にて使用された場合、この種の疎水性過酸または過酸前駆体の欠点が緩和されるようにジアシルペルオキシドの形成が制御されることを見出した。
【００１２】
本発明の好ましい態様では、本発明の洗剤組成物は、アルミノケイ酸塩（ゼオライト）ビルダーおよび／またはリン酸塩ビルダーから選択されるビルダー類を１５重量％未満含む。本発明の更に好ましい態様では、前記組成物は１０重量％未満のゼオライトおよび／またはリン酸塩ビルダー、または更に５重量％未満または４重量％未満のゼオライトおよび／またはリン酸塩ビルダーを含む。
【発明を実施するための最良の形態】
【００１３】
過酸化物供給源
無機過水和物塩は、好ましい過酸化物源である。好ましくは、これらの塩類は洗剤組成物に対して、０．０５〜４０重量％、より好ましくは１〜３０重量％、または２〜２０重量の濃度で存在する。無機過水和物塩の例としては、過ホウ酸塩、過炭酸塩、過硫酸塩および過リン酸塩および過ケイ酸塩類が挙げられる。過ホウ酸塩、通常は１水和物または４水和物、または特に過炭酸塩類が最も好ましい。これらは、通常アルカリ金属塩類、好ましくはナトリウム塩類である。前記無機過水和物塩類は、典型的には本発明の洗剤組成物類中に結晶固形物（所望により、例えば改良された保存安定性を達成するためにコーティングされることができる）として組み込まれる。好適なコーティングとしては、無機塩類、例えばアルカリ金属ケイ酸塩、炭酸塩またはホウ酸塩またはこれらの混合物、または有機材料、例えばワックス類、油類または脂肪族石鹸類が挙げられる。
【００１４】
疎水性過酸または過酸前駆体
好適な化合物としては、化学式Ｒ−（Ｃ＝Ｏ）Ｏ−Ｏ−ＭまたはＲ−（Ｃ＝Ｏ）−Ｌで、式中Ｒがアルキル基、所望により分岐鎖で、６〜１４個の炭素原子、より好ましくは８〜１２個の炭素原子を有し、Ｍは対イオンで、好ましくはナトリウム、カリウムまたは水素であり、且つＬが脱離基である化合物が挙げられる。好ましい脱離基は、安息香酸およびその誘導体（特に、ベンゼンスルホネート）である。
【００１５】
好適例は、デカノイルオキシ安息香酸またはこれらの塩、ドデカノニルオキシベンゼンスルホネートのナトリウムまたはカリウム塩類、デカノイルオキシベンゼンスルホネート、３，５，５−トリメチルヘキサノイルオキシベンゼンスルホネート、または更により好ましいものとしてのノナノイルオキシベンゼンスルホネート（ＮＯＢＳ）を含む。
【００１６】
前記過酸または過酸前駆体は、前記洗剤組成物に対して一般に０．５〜１０重量％、好ましくは０．５〜５重量％、好ましくは０．５〜４重量％の量で組成物中に存在する。
【００１７】
所望により、前記疎水性過酸または過酸前駆体に加えて、親水性過酸または過酸前駆体を本発明の洗剤組成物中に組み込んでもよい。これらには、前記疎水性過酸類／前駆体類のために上述した式を有する材料が挙げられるが、Ｒ基は６個未満、好ましくは４未満の炭素原子を含む。好ましい実施例は、ＴＡＥＤである。存在する場合、それは一般に、７重量％以下の量で、一般に、０．１〜５重量％の量で存在する。
【００１８】
過酸化水素供給源および過酸または過酸前駆体の量は、有効酸素（前記過酸化物供給源より）対過酸のモル比が、１：１〜３５：１になるように選択される。好ましいモル比は、２：１〜１０：１、または更に３：１または更に５：１〜８：１である。
【００１９】
リパーゼ酵素
本発明で使用された参照リパーゼは、フミコラ・ラヌギノサ（Humicola lanuginosa）菌株ＤＳＭ４１０９由来の野生型リパーゼである。これは、欧州特許第２５８０６８号および同第３０５２１６号に記載されており、米国特許第５８６９４３８号（添付）の配列ＩＤ番号２の１〜２６９の位置に示されるアミノ酸配列を有する。本明細書では、前記参照リパーゼはリポラーゼとも呼ばれる。
【００２０】
正に帯電したアミノ酸による置換
本発明のリパーゼは、１つ以上の（例えば、２〜４個、特に２個）、正に荷電したアミノ酸（好ましくはＲ）を有するＥ１またはＱ２４９近傍の、電気的に中性または負に荷電したアミノ酸の置換を含む。
【００２１】
前記置換は、Ｅ１またはＱ２４９から１５オングストローム以内の三次元構造表面、例えば１〜１１、９０、９５、１６９、１７１〜１７５、１９２〜２１１、２１３〜２２６、２２８〜２５８、２６０〜２６２の任意の位置である。
【００２２】
前記置換は、Ｅ１またはＱ２４９から１０オングストローム以内、例えば１〜７、１０、１７５、１９５、１９７〜２０２、２０４〜２０６、２０９、２１５、２１９〜２２４、２３０〜２３９、２４２〜２５４の任意の位置でもよい。
【００２３】
前記置換は、Ｅ１から１５オングストローム以内、例えば１〜１１、１６９、１７１、１９２〜１９９、２１７〜２２５、２２８〜２４０、２４３〜２４７、２４９、２６１〜２６２の任意の位置でもよい。
【００２４】
前記置換は、最も好ましくはＥ１から１５オングストローム以内、例えば１〜７、１０、２１９〜２２４および２３０〜２３９の任意の位置である。
【００２５】
従って、いくつかの好ましい置換は、Ｓ３Ｒ、Ｓ２２４Ｒ、Ｐ２２９Ｒ、Ｔ２３１Ｒ、Ｎ２３３Ｒ、Ｄ２３４ＲおよびＴ２４４Ｒである。
【００２６】
Ｃ末端でのペプチド添加
前記リパーゼは、Ｃ末端Ｌ２６９へ結合するペプチド添加を含んでよい。前記ペプチド添加は、各種洗剤の一次洗浄性能を改善する。
【００２７】
前記ペプチド添加は、好ましくは１〜５個のアミノ酸、例えば２、３または４個のアミノ酸から成る。前記ペプチド添加のアミノ酸は、２７０、２７１等の番号を付けられる。
【００２８】
前記ペプチド添加は、電気的に中性の（例えば、疎水性の）アミノ酸、例えばＰＧＬまたはＰＧから構成することができる。他の実施例では、前記リパーゼペプチド添加は、中性の（例えば、疎水性の）アミノ酸およびアミノ酸Ｃから成り、且つ前記リパーゼは、ペプチド添加のＣとジスルフィド架橋を形成するように好適な位置でアミノ酸をＣで置換することを含む。実施例には、以下のものがある：
Ｇ２３ＣまたはＴ３７Ｃに結合した２７０Ｃ
Ｋ２４Ｃ、Ｔ３７Ｃ、Ｎ２６ＣまたはＲ８１Ｃに結合した２７１Ｃ
Ｄ２７Ｃ、Ｔ３５Ｃ、Ｅ５６Ｃ、Ｔ６４ＣまたはＲ８１Ｃに結合した２７２Ｃ
位置９０〜１０１および２１０のアミノ酸
【００２９】
本発明で使用されるリパーゼは、好ましくは位置９０〜１０１および２１０にある帯電したアミノ酸のある種の制限を満足させる。このため、アミノ酸２１０は負に帯電していてもよい。Ｅ２１０は、不変でもよくまたはそれは置換Ｅ２１０Ｄ／Ｃ／Ｙ、特にＥ２１０Ｄを有してもよい。
【００３０】
前記リパーゼは、９０〜１０１（特に、９４〜１０１）の任意の位置、例えばＤ９６および／またはＥ９９の位置に、負に荷電したアミノ酸を含んでよい。
【００３１】
更に、前記リパーゼは、Ｎ９４の位置、すなわちＮ９４（中性または負に帯電）、例えばＮ９４Ｎ／Ｄ／Ｅに、中性または負に帯電したアミノ酸を含んでよい。
【００３２】
また、前記リパーゼは、負に帯電したまたは中性の正味の電荷、すなわち、負に帯電したアミノ酸の数が正に荷電したアミノ酸の数以上を９０〜１０１の領域（特に、９４〜１０１）に有してもよい。このため、前記領域はリポラーゼ（２個の負に帯電したアミノ酸（Ｄ９６およびＥ９９）および１個の正に帯電したもの（Ｋ９８）を有し、且つ１個の電気的に中性のアミノ酸（Ｎ９４）を位置９４に有する）と変わらなくてもよく、または前記領域が１つ以上の置換によって変性されていてもよい。
【００３３】
あるいは、３個のアミノ酸（Ｎ９４、Ｎ９６およびＥ９９）のうちの２個が、負または不変の電荷を有していてもよい。このため、３個全てのアミノ酸が不変でもよく、または同類若しくは負の置換（すなわち、Ｎ９４（中性または負）、Ｄ（負）およびＥ９９（負））によって変化させられてもよい。例として、Ｎ９４Ｄ／ＥおよびＤ９６Ｅがある。また、電荷を増やすように、３個（すなわち、Ｎ９４（正）、Ｄ９６（中性または正）またはＥ９９（中性または正））のうち１個が置換されていてもよい。例として、Ｎ９４Ｋ／Ｒ、Ｄ９６Ｉ／Ｌ／Ｎ／Ｓ／ＷまたはＥ９９Ｎ／Ｑ／Ｋ／Ｒ／Ｈがある。
【００３４】
ＰＣＴ国際公開特許ＷＯ００／６００６３で議論されているように、中性のアミノ酸を負のアミノ酸（Ｎ９４Ｄ／Ｅ）で置換することは、アニオン性洗剤の性能を改善することがある。電気的に中性のアミノ酸を正に帯電したアミノ酸（Ｎ９４Ｋ／Ｒ）で置換することで、アニオン性洗剤およびアニオン性／非イオン性洗剤（全界面活性剤のうち、例えば４０〜７０％のアニオン性を有する洗剤）の両方において良好な性能を有する変異型リパーゼを提供できることがある。置換Ｑ２４９Ｒ／Ｋ／Ｈおよび／またはＲ２０９を電気的に中性のまたは負に帯電したアミノ酸（例えば、Ｒ２０９Ｐ／Ｓ）で置換することが、有用であり得る。前記リパーゼは、置換Ｇ９１Ａを任意に含んでもよい。
【００３５】
前記リパーゼは、１つ以上の追加のアミノ酸の置換を任意に含んでもよい。このような置換は、例えば、当技術分野において既知の原則（例えば、ＰＣＴ国際公開特許ＷＯ９２／０５２４９、同ＷＯ９４／２５５７７、同ＷＯ９５／２２６１５、同ＷＯ９７／０４０７９および同ＷＯ９７／０７２０２に記載されている置換）によって行われてもよい。好適な置換の組み合わせの具体例は、ＰＣＴ国際公開特許ＷＯ００／６００６３の４頁および５頁を跨る表に与えられている。アミノ酸修飾の命名法は、ＰＣＴ国際公開特許ＷＯ００／６００６３に記載のとおりである。
【００３６】
好ましいリパーゼ酵素類は、ＰＣＴ国際公開特許ＷＯ００／６００６３に開示され、最も好ましいのは、突然変異Ｔ２３１ＲおよびＮ２３３Ｒを含むフミコラ・ラヌギノサ（Humicola lanuginosa）（サーモミセス・ラヌギノサス（Thermomyces lanuginosus））リパーゼ（ノボザイムズ（Novozymes）のリポラーゼ（Lipolase）（登録商標））の変異型であるＬＩＰＥＸ（ノボザイムズ（Novozymes）の登録商標）である。
【００３７】
本発明の洗剤組成物に組み込まれるリパーゼ酵素は、一般に洗剤組成物の１０〜２００００ＬＵ／ｇ、または更に１００〜１００００ＬＵ／ｇの量で存在する。リパーゼ活性に関するＬＵ単位は、ＰＣＴ国際公開特許ＷＯ９９／４２５６６にて定義される。洗浄溶液中のリパーゼ投与量は、典型的には活性リパーゼタンパク質として０．０１〜５ｍｇ／Ｌ、より典型的には酵素タンパク質として０．１〜２ｍｇ／Ｌである。
【００３８】
リパーゼ酵素は、任意の都合の良い形態、一般にはダスティングされていない粒状形態、安定化された液体または保護された、例えばコーティングされた酵素粒子の形態で洗剤組成物に組み込まれてもよい。
【００３９】
ラード一次洗浄試験
任意の特定のリパーゼ酵素が、ＷＴリポラーゼ（ノボザイムズ社（Novozymes）より。米国特許第５８６９４３８号、ｓｅｑ＃２に記載されている）よりも良好な一次洗浄ラード除去性能を与えるか否は、ＷＴリポラーゼの性能結果を特定のリパーゼ酵素と、次の試験に従って比較することによって決定することができる。
【００４０】
脂肪分解酵素の洗浄性能は、温度自動調節器付きの撹拌式洗浄力試験機にて、ライン乾燥に引き続いて実施される１回のサイクルの洗浄トライアルで試験される。実験条件は、次のとおり。
洗浄溶液：ビーカーあたり１０００ｍＬ
材料見本：ビーカーごとに７枚のフラットな綿の材料見本（９×９ｃｍ）（ワーウィック−イクエスト（Warwick-Equest）により供給）
汚れ：スダン・レッド染料で赤く着色したラード（シグマ）（ラード１ｇ当たり０．７５ｍｇのスダン・レッド）。７０℃まで加熱した５０μＬのラード／スダン・レッドを、各材料見本の中心に適用する。前記汚れを適用後、前記材料見本をオーブンで２０分間、７５℃で加熱し、次に室温にて一晩保存する。
洗浄溶液を調製するための水：３．２ｍＭ  Ｃａ２＋／Ｍｇ２＋（５：１の比で）
洗剤：５ｇ／Ｌの洗剤組成物Ａ。
【００４１】
洗剤組成物Ａ：
０．３００ｇ／Ｌのアルキルサルフェート（ＡＳ；Ｃ１４〜１６）
０．６５０ｇ／Ｌのアルコールエトキシレート（ＡＥＯ；Ｃ１２〜１４、６ＥＯ）
１．７５０ｇ／ＬのゼオライトＰ
０．１４５ｇ／ＬのＮａ２ＣＯ３
０．０２０ｇ／Ｌのソカラン（Sokalan）ＣＰ５（ＢＡＳＦ）
０．０５０ｇ／ＬのＣＭＣ（カルボキシメチルセルロース）
５ｇ／Ｌの洗剤組成物Ａを、追加した硬度（３．２ｍＭ  Ｃａ２＋／Ｍｇ２＋（５：１））およびＮａＯＨを添加することによりｐＨ１０．２へ人工的に調整したｐＨとを有する脱イオン水中へ混合した。
【００４２】
リパーゼ酵素を添加する。
脂肪分解酵素の濃度：０および１２５００ＬＵ／ｌ
洗浄時間：２０分
洗浄温度：３０℃
すすぎ洗い：水道水を流しながら１５分間
乾燥：室内条件で一晩（約２０℃、３０〜４０％ＲＨ）。
評価：反射率は、４６０ｎｍにて測定した。
【００４３】
除去されたラードの百分率は、次のように決定される：
デルタ反射率（ｄＲ）は、次のように定義される：
（Ｒ（リパーゼを有する洗剤で洗浄した材料見本）−Ｒ（リパーゼを有しない洗剤で洗浄した材料見本）
反射率（レミッションという言葉が使用されることもある）は、２個のキセノン電撃ランプで試料を照らし、且つ反射光の量を測定する（完全な白が１００％反射率に相当し、且つ完全な黒が０％反射率に相当するようにする）エルレホ（Elrepho）２０００装置（データカラー社（Datacolor）製）によって測定する。酵素の存在によるラード除去の結果を比較すると、ＷＴリポラーゼ（登録商標）よりも良好な性能を与えたリパーゼ酵素類が、本発明の組成物にて用いるのに好適である。
【００４４】
予備アルカリ度
本明細書で使用する時、「予備アルカリ度」という用語は、洗剤組成物の１％（重量／容量）溶液を塩酸によってｐＨ７．５まで（すなわち、以下で定義する様な予備アルカリ度を計算するために）滴定することによって決定される、前記洗剤組成物（ｇ／ＮａＯＨ／１００ｇ洗剤組成物）の緩衝能の尺度である。
【数１】
2008531758.tif 000002
Ｔ            ＝    ｐＨ７．５までの滴定量（ｍＬ）
Ｍ            ＝    ＨＣｌのモル濃度＝０．２
４０          ＝    ＮａＯＨの分子量
容量          ＝    全容量（すなわち、１０００ｍＬ）
Ｗ            ＝    製品重量（１０ｇ）
アリコート    ＝    （１００ｍＬ）
【００４５】
完全に配合された洗剤組成物の試料１０ｇを小数点第２位まで正確に量り取る。前記試料は、ダストキャビネット内でパスカルサンプラー（Pascall sampler）を使用して取り分ける必要がある。１０ｇの試料をプラスチック製ビーカーに加え、且つ２００ｍＬの二酸化炭素フリーの脱イオン水を加える。撹拌プレート上の磁性攪拌器を使用して、１５．７ラジアン／秒（１５０ｒｐｍ）にて、完全に溶解するまで且つ少なくとも１５分
間、撹拌する。ビーカーの内容物を、Ｌリットルのメスフラスコに移動し、且つ脱イオン水で１リットルにする。十分に混同し、１００ｍＬピペットを使用して、１００ｍＬ±１ｍＬのアリコートを直ちに取る。±０．０１ｐＨ単位まで読み取り可能なｐＨ計を使用して、攪拌しながら、温度を２１℃±２℃に確保しつつ、試料のｐＨおよび温度を測定・記録する。撹拌しながら、ｐＨの測定値が正確に７．５になるまで０．２Ｍ塩酸で滴定する。使用した塩酸のミリリットル数を記録する。同様に３回繰り返した平均滴定量を採用する。前述した計算を行い、ｐＨ７．５にするためのＲＡを計算する。
【００４６】
発明の洗剤組成物のＲＡは、６．５より大きく、好ましくは７．５より大きい。前記ＲＡは、８より大きくてもよく、または更に９より大きくても、または９．５以上でもよい。前記ＲＡは、２０以下またはそれ以上であってもよい。
【００４７】
例えば、１つ以上のアルカリ金属シリケート類（結晶性層状シリケートを除く）、典型的に非晶質ケイ酸塩類、一般的に１．２〜２．２比のナトリウム塩、アルカリ金属（典型的には、炭酸ナトリウム、重炭酸塩および／またはセスキ炭酸塩類）によって、適切な予備アルカリ度が提供されてもよい。ＳＴＰＰおよび過ホウ酸塩類および過炭酸塩などの過酸基塩類も、アルカリ性に寄与する。汚れの酸性度、特にリパーゼ酵素によって遊離された脂肪酸に対抗しつつ、アルカリ性ｐＨを前記洗浄工程中に維持するためには、緩衝が必要である。
【００４８】
前記洗剤組成物は、好ましくは０重量％〜５０重量％のケイ酸塩、より一般的には５〜３０重量％のケイ酸塩、または７〜２０重量％のケイ酸塩（通常はケイ酸ナトリウム）を含む。
【００４９】
所望の予備アルカリ度を提供するために、本発明の洗剤組成物は、炭酸塩、典型的には、１重量％〜７０重量％、または５重量％〜５０重量％または１０重量％〜３０重量％の炭酸塩を含んでよい。好ましい炭酸塩類は、炭酸ナトリウムおよび／または重炭酸ナトリウムおよび／またはセスキ炭酸ナトリウムである。前記炭酸塩は、バーカイトのような混合塩によって、前記洗剤組成物中に完全にまたは部分的に組み込まれてもよい。極めて好ましい炭酸塩は、炭酸ナトリウムである。好ましくは、前記組成物は、５重量％〜５０重量％の炭酸ナトリウム、または１０〜４０重量％または更に１５〜３５重量％の炭酸ナトリウムを含んでよい。前記組成物が、１重量％〜２０重量％の重炭酸ナトリウム（または更に２〜１０若しくは８重量％）を含むことが望ましい場合もある。
【００５０】
ゼオライトが存在する場合、炭酸ナトリウムおよび／またはケイ酸ナトリウム対ゼオライトビルダーの重量比が、少なくとも５：１、好ましくは少なくとも１０：１、または少なくとも１５：１、または少なくとも２０：１、または更に少なくとも２５：１であることが望ましい場合もある。
【００５１】
炭酸塩または少なくともその一部は、典型的には粒子形態であり、典型的には２００〜５００マイクロメートルの範囲内の重量平均粒径を有する。しかし、炭酸塩または少なくともその一部は、微粉化した粒子形態であり、典型的には４〜４０マイクロメートルの範囲内の重量平均粒径を有するのが好ましい場合があり、このことは、炭酸塩または少なくともその一部が、アルコキシル化アニオン性洗浄性界面活性剤などの洗浄性界面活性剤との共同粒子混合体の形態である場合に、特に好ましい。
【００５２】
必要とされる予備アルカリ度を提供するためには、好ましくは炭酸塩および／またはケイ酸塩類、典型的には炭酸ナトリウムおよびケイ酸ナトリウムの濃度が、組成物の全重量を基準にして１０〜７０重量％、または１０または更に１５〜５０重量％となる。
【００５３】
ビルダー類
本発明によれば、好ましくはホスフェートおよび／またはゼオライトビルダーから選択される強力なビルダーの量は、洗剤組成物の総重量に対して１５重量％以下、好ましくは１０重量％未満、または８若しくは５若しくは４若しくは３若しくは２重量％である。
【００５４】
本発明の更に好ましい態様では、層状シリケート（ＳＫＳ−６）、クエン酸、シトレートおよびニトリロ三酢酸またはその塩から選択される弱いビルダー類の総量は、洗剤組成物の総重量に対して１５重量％未満、より好ましくは８重量％未満、より好ましくは４重量％未満または更に３若しくは２重量％未満である。典型的には、層状シリケート、クエン酸、シトレートおよびニトリロ三酢酸またはその塩各々の量は、組成物の全重量を基準にして、１０重量％未満または更に５重量％若しくはＸ重量％未満である。
【００５５】
界面活性剤
本発明の組成物の極めて好ましい補助構成成分は、界面活性剤である。好ましくは、洗剤組成物は、１つ以上の界面活性剤を含む。典型的には、洗剤組成物は、（当該組成物の）０重量％〜５０重量％、好ましくは５重量％から、より好ましくは１０重量％から、またはさらに１５重量％〜４０重量％、若しくは３０重量％まで、若しくは２０重量％までの１つ以上の界面活性剤を含む。好ましい界面活性剤は、アニオン性界面活性剤、非イオン性界面活性剤、カチオン性界面活性剤、双性イオン性界面活性剤、両性界面活性剤、カチオン性界面活性剤、およびこれらの混合物である。
【００５６】
アニオン性界面活性剤類
好適なアニオン性界面活性剤類は、典型的には炭酸塩、リン酸塩、ホスホン酸塩、硫酸塩、スルホン酸塩、カルボン酸塩およびこれらの混合物から成る群から選択される１つ以上の部分含む。前記アニオン性界面活性剤は、Ｃ８〜１８アルキルサルフェート類およびＣ８〜１８アルキルスルホネート類の１つまたはこれらの複数の混合物でもよい。本発明の組成物中に単独でまたは混合物として組み込まれる好適なアニオン性界面活性剤は、更に、所望によりＣ８〜１８アルキルサルフェートおよび／またはＣ８〜１８アルキルスルホネート１モル当たり１〜９モルのＣ１〜４アルキレンオキシドと縮合されたＣ８〜１８アルキルサルフェート類および／またはＣ８〜１８アルキルスルホネート類である。Ｃ８〜１８アルキルサルフェート類および／またはＣ８〜１８アルキルスルホネート類のアルキル鎖は、直鎖または分枝状であってよく、好ましい分枝状アルキル鎖は、Ｃ１〜６アルキル基である１つ以上の分枝状部分を含む。より具体的には、好適なアニオン性界面活性剤類は、Ｃ１０〜Ｃ２０一級、分岐鎖、直鎖およびランダム鎖アルキル硫酸塩類（ＡＳ）を含み、典型的には次の化学式を有する。
ＣＨ３（ＣＨ２）ｘＣＨ２−ＯＳＯ３−Ｍ＋
式中、Ｍは水素または電気的中性を提供するカチオンであり、好ましいカチオン類はナトリウムおよびアンモニウムカチオン類であり、式中ｘは少なくとも７の整数であり、好ましくは少なくとも９の整数であり、Ｃ１０〜Ｃ１８第二級（２，３）アルキルサルフェート類で、通常次式を有する。
【化１】
2008531758.tif 000003
式中、Ｍは水素または電気的中性を付与するカチオンであり、好適なカチオン類にはナトリウムとアンモニウムカチオンを含み、ｘは少なくとも７の整数であり、好ましくは少なくとも９の整数であり、ｙは少なくとも８の整数であり、好ましくは少なくとも９の整数であり、米国特許第６，０２０，３０３号と同第６，０６０，４４３号により詳細に記載されているようなＣ１０〜Ｃ１８のアルキルアルコキシカルボン酸塩類、中鎖分岐状アルキルサルフェート類、ＰＣＴ国際公開特許ＷＯ９９／０５２４３、同９９／０５２４２、同９９／０５２４４、同９９／０５０８２、同９９／０５０８４、同９９／０５２４１、同９９／０７６５６、同００／２３５４９、および同００／２３５４８により詳細に記載されているような変性アルキルベンゼンスルホネート（ＭＬＡＳ）、並びにこれらの混合物から成る群から選択されて良い。
【００５７】
好ましいアニオン性界面活性剤は、Ｃ８〜１８アルキルベンゼンサルフェート類および／またはＣ８〜１８アルキルベンゼンスルホネート類である。Ｃ８〜１８アルキルベンゼンサルフェート類および／またはＣ８〜１８アルキルベンゼンスルホネート類のアルキル鎖は、直鎖または分枝状であってよく、好ましい分枝状アルキル鎖は、Ｃ１〜６アルキル基である１つ以上の分枝状部分を含む。
【００５８】
その他の好ましいアニオン性界面活性剤は、Ｃ８〜１８アルケニルサルフェート類、Ｃ８〜１８アルケニルスルホネート類、Ｃ８〜１８アルケニルベンゼンサルフェート類、Ｃ８〜１８アルケニルベンゼンスルホネート類、Ｃ８〜１８アルキルジメチルベンゼンサルフェート、Ｃ８〜１８アルキルジメチルベンゼンスルホネート、脂肪酸エステルスルホネート類、ジアルキルスルホサクシネート類、およびこれらの組み合わせから成る群から選択される。本明細書の他の有用なアニオン性界面活性剤としては、α−スルホン化脂肪酸のエステル類（典型的には、６〜２０個の炭素原子を脂肪酸基中に、且つ１〜１０個の炭素原子をエステル基中に含有する）；２−アシルオキシ−アルカン−１−スルホン酸およびその塩類（典型的には、約２〜９個の炭素原子をアシル基中に、且つ約９〜２３個の炭素原子をアルカン部分に含む）；α−オレフィンスルホネート類（ＡＯＳ）（典型的には、約１２〜２４個の炭素原子を含有する）；およびβ−アルコキシアルカンスルホネート類（典型的には、約１〜３個の炭素原子をアルキル基中に、且つ約８〜２０個の炭素原子をアルカン部分に含有する）が挙げられる。典型的には、１０〜２０個の炭素原子を有するアルキル基を含有する脂肪酸エステル類のスルホン化生成物も有用である。好ましいのは、Ｃ１〜４であり、最も好ましくはメチルエステルスルホネート類である。好ましいのは、Ｃ１６〜１８メチルエステルスルホネート類（ＭＥＳ）である。
【００５９】
アニオン性界面活性剤は、塩の形態で存在してもよい。例えば、前記アニオン性界面活性剤（類）は、上述のいずれかのアルカリ金属塩であってもよい。好ましいアルカリ金属は、ナトリウム、カリウムおよびこれらの混合物である。
【００６０】
好ましいアニオン性洗浄性界面活性剤類は、直鎖または分岐鎖、置換または非置換Ｃ１２〜１８のアルキルサルフェート類、直鎖または分岐鎖、置換または非置換Ｃ１０〜１３のアルキルベンゼンスルホネート類、好ましくは直鎖Ｃ１０〜１３アルキルベンゼンスルホネート類およびその混合物から成る群から選択される。極めて好ましいのは、直鎖Ｃ１０〜１３アルキルベンゼンスルホネート類である。極めて好ましいのは、市販の直鎖アルキルベンゼン類（ＬＡＢ）をスルホン化することにより得ることができ、好ましくはスルホン化することにより得られる、直鎖Ｃ１０〜１３アルキルベンゼンスルホネート類であり、好適なＬＡＢには、サソール社（Sasol）からイソケム（Isochem）の商標名またはペトレサ社（Petresa）からペトレラボ（Petrelab）の商標名で供給されているような低級２−フェニルＬＡＢを含み、他の好適なＬＡＢには、サゾール社（Sasol）からハイブリーン（Hyblene）の商標名で販売されているような高級２−フェニルＬＡＢを含む。
【００６１】
アニオン性洗浄性界面活性剤は、前記アニオン性洗浄性界面活性剤がよりカルシウム耐性となり、遊離カルシウムイオンの存在下で洗浄溶液から析出し難くなるように、構造的に修飾されることが好ましいことがある。この構造的修飾は、前記アニオン性洗浄性界面活性剤の先端基の付近にメチル部分またはエチル部分を導入することであり得るが、先端基の立体障害により、よりカルシウム耐性の高められたアニオン性洗浄性界面活性剤をもたらすことができ、遊離カルシウムイオンと錯体を形成して溶液から析出させるための前記アニオン性洗浄性界面活性剤の親和性を低減させることができるからである。他の構造的修飾には、前記アニオン性洗浄性界面活性剤のアルキル鎖中のアミン部分等の官能性部分の導入が含まれる。これにより、アニオン性洗浄性界面活性剤のアルキル鎖中の官能基の存在により、洗浄溶液中の遊離カルシウムイオンの存在下で滑らかな結晶構造が形成されるというアニオン性洗浄性界面活性剤の望ましくない物理化学的特性が最小化され、よりカルシウム耐性のアニオン性洗浄性界面活性剤にすることができる。これは、アニオン性洗浄性界面活性剤が溶液から析出する傾向を低減させることができる。
【００６２】
アルコキシル化アニオン性界面活性剤類
前記組成物は、アルコキシル化アニオン性界面活性剤を含んでよい。このような界面活性剤を有する場合、前記洗剤組成物に対して全体として、一般に０．１重量％〜４０重量％、一般に０．１〜１０重量％の量で存在する。前記組成物は、３重量％〜５重量％のアルコキシル化アニオン性洗浄性界面活性剤を含むことが好ましい場合があるか、または前記組成物は、１重量％〜３重量％のアルコキシル化アニオン性洗浄性界面活性剤を含むことが好ましい場合がある。
【００６３】
好ましくは、アルコキシル化アニオン性洗浄性界面活性剤は、平均アルコキシル化度が１〜３０、好ましくは１〜１０の、直鎖または分枝鎖の、置換または非置換のＣ１２〜１８アルキルアルコキシル化スルフェートである。好ましくは、アルコキシル化アニオン性洗浄性界面活性剤は、平均エトキシル化度が１〜１０の、直鎖または分枝鎖の、置換または非置換のＣ１２〜１８アルキルエトキシル化スルフェートである。最も好ましくは、アルコキシル化アニオン性洗浄性界面活性剤は、平均エトキシル化度が３〜７の、直鎖の非置換のＣ１２〜１８アルキルエトキシル化スルフェートである。
【００６４】
アルコキシル化アニオン性洗浄性界面活性剤は、遊離カルシウムカチオン類の存在下で非アルコキシル化アニオン性洗浄性界面活性剤が溶液から析出する可能性を低減することによって、当該非アルコキシル化アニオン性洗浄性界面活性剤の活性を高める場合もある。好ましくは、非アルコキシル化アニオン性洗浄性界面活性剤とアルコキシル化アニオン性洗浄性界面活性剤との重量比は、５：１未満、または３：１未満、または１．７：１未満、あるいは１．５：１未満である。この比は、良好な硬度許容（hardness tolerency）特性および良好な発泡特性と併せて、最適な白色度の維持性能を与える。しかしながら、非アルコキシル化アニオン性洗浄性界面活性剤とアルコキシル化アニオン性洗浄性界面活性剤との重量比は、５：１を超え、または６：１を超え、または７：１を超え、あるいは１０：１を超えることが好ましい場合がある。この比は、良好な硬度許容（hardness tolerency）特性および良好な発泡特性と併せて、最適な脂汚れ洗浄性能を与える。
【００６５】
好適なアルコキシル化アニオン性洗浄性界面活性剤類は、テキサパンＬＥＳＴ（登録商標）（コグニス社（Cognis））；コスマコールＡＥＳ（登録商標）（サソール社（Sasol））；ＢＥＳ１５１（登録商標）（ステファン社(Stephan)）；エムピコール（Empicol）ＥＳＣ７０／Ｕ（登録商標）；並びにこれらの混合物である。
【００６６】
非イオン性洗浄性界面活性剤
本発明の組成物は、非イオン性界面活性剤を含んでよい。存在する場合、それは一般に、組成物の全重量を基準にして０．５重量％〜２０、更に典型的には０．５〜１０重量％の量で存在する。前記組成物は、１重量％〜７重量％または２重量％〜４重量％の非イオン性洗浄性界面活性剤を含んでよい。前記組成物中に非イオン性洗浄界面活性剤を包含することは、特に６０℃以上などの高温で洗濯するときに、良好な全体的な洗浄特性を付与するのに役立つ。
【００６７】
非イオン性洗浄性界面活性剤は、Ｃ１２〜Ｃ１８アルキルエトキシレート類、例えば、シェル（Shell）製ネオドール（NEODOL）（登録商標）非イオン性界面活性剤類；Ｃ６〜Ｃ１２アルキルフェノールアルコキシラート類であって、ここで前記アルコキシラート単位が、エチレンオキシ単位、プロピレンオキシ単位、またはこれらの混合物であるもの；エチレンオキシド／プロピレンオキシドブロックポリマー類との、Ｃ１２〜Ｃ１８アルコール縮合物およびＣ６〜Ｃ１２アルキルフェノール縮合物、例えば、ＢＡＳＦ社製プルロニック（Pluronic）（登録商標）；米国特許第６，１５０，３２２号においてより詳細に記載されているＣ１４〜Ｃ２２中鎖分枝状アルコール類、ＢＡ；米国特許第６，１５３，５７７号、同第６，０２０，３０３号および同第６，０９３，８５６号においてより詳細に記載されているＣ１４〜Ｃ２２中鎖分枝状アルキルアルコキシラート類、ＢＡＥｘ、ただし、ｘは１〜３０である；米国特許第４，５６５，６４７号においてより詳細に記載されているアルキル多糖類、特に、米国特許第４，４８３，７８０号および同第４，４８３，７７９号においてより詳細に記載されているアルキルポリグリコシド類；米国特許第５，３３２，５２８号、ＰＣＴ国際公開特許ＷＯ９２／０６１６２、同ＷＯ９３／１９１４６、同ＷＯ９３／１９０３８、および同ＷＯ９４／０９０９９においてより詳細に記載されているポリヒドロキシ脂肪酸アミド類；米国特許第６，４８２，９９４号およびＰＣＴ国際公開特許ＷＯ０１／４２４０８においてより詳細に記載されているエーテルで末端保護されたポリ（オキシアルキル化）アルコール界面活性剤類；並びにこれらの混合物から成る群より選択することができる。
【００６８】
非イオン性洗浄性界面活性剤は、アルキルポリグルコシドおよび／またはアルキルアルコキシル化アルコールであり得る。好ましくは、非イオン性洗浄性界面活性剤は、平均エトキシル化度が１〜５０、より好ましくは３〜４０の、直鎖または分枝鎖、置換または非置換Ｃ８〜１８アルキルエトキシル化アルコールである。３〜９のエトキシ化度を有する非イオン性界面活性剤が、特に有用であり得る。１３〜２５のＨＬＢ値を有する非イオン性界面活性剤（例えば、１５〜５０または更に２０〜５０の平均エトキシ化度を有するＣ８〜１８アルキルエトキシル化アルコール類）も又、本発明の組成物の好ましい非イオン性界面活性剤であり得る。これら後者の非イオン性界面活性剤の例は、ルテンゾールＡＯ３０およびＰＣＴ国際公開特許ＷＯ０４／０４１９８２に開示される類似物質である。これらは、良好なライム石鹸の分散剤性質を有するので、有益であり得る。
【００６９】
前記非イオン性洗浄性界面活性剤は、更なる汚れ洗浄性能を付与するのみならず、遊離カルシウムカチオン類の存在下でアニオン性洗浄性界面活性剤が溶液から析出する可能性を低減することによって前記アニオン性洗浄性界面活性剤の活性を高める場合もある。非アルコキシル化アニオン性洗浄界面活性剤と非イオン性洗浄界面活性剤との重量比は、８：１未満、もしくは７：１未満、または６：１未満、あるいは５：１未満、好ましくは１：１〜５：１、または２：１〜５：１、あるいは３：１〜４：１の範囲内である。
【００７０】
カチオン性洗浄性界面活性剤
発明の１つの態様では、前記洗剤組成物は、カチオン性界面活性剤を含まない。しかし、前記組成物は所望により、０．１重量％〜１０あるいは５重量％のカチオン性洗浄性界面活性剤を含んでよい。しかし、存在する場合は、好ましくは前記組成物は、０．５重量％〜３重量％、または１重量％〜３重量％、あるいは１重量％〜２重量％のカチオン性洗浄性界面活性剤を含む。これは、良好な洗浄をもたらすカチオン性洗浄性界面活性剤の最適濃度である。好適なカチオン性洗浄性界面活性剤類は、アルキルピリジニウム化合物類、アルキル第四級アンモニウム化合物類、アルキル第四級ホスホニウム化合物類、およびアルキル三級スルホニウム化合物類である。カチオン性洗浄界面活性剤は、米国特許第６，１３６，７６９号においてより詳細に記載されているようなアルコキシラート第四級アンモニウム（ＡＱＡ）界面活性剤類；米国特許第６，００４，９２２号においてより詳細に記載されているようなジメチルヒドロキシエチル第四級アンモニウム界面活性剤類；ＰＣＴ国際公開特許ＷＯ９８／３５００２、ＰＣＴ国際公開特許ＷＯ９８／３５００３、ＰＣＴ国際公開特許ＷＯ９８／３５００４、ＰＣＴ国際公開特許ＷＯ９８／３５００５およびＰＣＴ国際公開特許ＷＯ９８／３５００６においてより詳細に記載されているようなポリアミンカチオン性界面活性剤類；米国特許第４，２２８，０４２号、米国特許第４，２３９，６６０号、米国特許第４，２６０，５２９号、および米国特許第６，０２２，８４４号においてより詳細に記載されているようなカチオン性エステル界面活性剤類；米国特許第６，２２１，８２５号およびＰＣＴ国際公開特許ＷＯ００／４７７０８においてより詳細に記載されているようなアミノ界面活性剤類、特にアミドプロピルジメチルアミン；並びにこれらの混合物から成る群より選択することができる。好適なカチオン性洗浄性界面活性剤類は、次の一般式を有する第四級アンモニウム化合物類である。
（Ｒ）（Ｒ１）（Ｒ２）（Ｒ３）Ｎ＋Ｘ−
式中、Ｒは直鎖または分岐鎖、置換または非置換の、Ｃ６〜１８アルキルまたはアルケニル部分であり、Ｒ１およびＲ２は、独立して、メチルまたはエチル部分から選択され、Ｒ３は、ヒドロキシル、ヒドロキシメチルまたはヒドロキシエチル部分であり、Ｘは電気的中性を付与するアニオンであり、好適なアニオン類には、ハロゲン化物類（塩化物等）、サルフェートおよびスルホネートが含まれる。好ましいカチオン性洗浄性界面活性剤類は、モノ−Ｃ６〜１８アルキルモノヒドロキシエチルジメチル第四級アンモニウムクロライドである。非常に好ましいカチオン性洗浄性界面活性剤類は、モノ−Ｃ８〜１０アルキルモノヒドロキシエチルジメチル第四級アンモニウムクロライド、モノ−Ｃ１０〜１２アルキルモノヒドロキシエチルジメチル第四級アンモニウムクロライド、およびモノ−Ｃ１０アルキルモノヒドロキシエチルジメチル第四級アンモニウムクロライドである。プレパゲン（Praepagen）ＨＹ（クラリアント社（Clariant）の商標名）などのカチオン性界面活性剤類は、有用であり得且つ泡促進剤としても有用であり得る。
【００７１】
カチオン性洗浄性界面活性剤は、更なる脂汚れ洗浄性能を提供する。しかしながら、カチオン性洗浄性界面活性剤は、任意の非アルコキシル化アニオン性洗浄性界面活性剤を溶液から析出し易くする場合がある。好ましくは、前記カチオン性洗浄性界面活性剤および任意の非アルコキシル化アニオン性洗浄性界面活性剤は、本発明の洗剤組成物内で分離される（例えば、カチオン性界面活性剤が存在する場合、好ましくは前記カチオン性および任意のアニオン性界面活性剤、特に非アルコキシル化アニオン性界面活性剤が組成物中に別個の粒子で存在する場合）。これは、任意のカチオン性洗浄性界面活性剤が、前記アニオン性洗浄性界面活性剤の望ましくない析出に対して有するいかなる影響をも最小化し、且つ更に水と接触してその結果得られる洗浄溶液が濁らないことを確実にする。カチオン性界面活性剤が存在する場合、好ましくは、非アルコキシル化アニオン性洗浄性界面活性剤対カチオン性洗浄性界面活性剤の重量比は、５：１〜２５：１、より好ましくは５：１〜２０：１または６：１〜１５：１または７：１〜１０：１、また更には８：１〜９：１の範囲内である。
【００７２】
典型的には、前記洗剤組成物は、１〜５０重量％、更に典型的には２〜４０重量％のアニオン性界面活性剤を含む。アルキルベンゼンスルホネート類が、好ましいアニオン性界面活性剤である。
【００７３】
本発明の好ましい組成物は、少なくとも２つの異なった界面活性剤；第一のグループから選択されるものを少なくとも１つ（前記第一のグループは、アルキルベンゼンスルホネートおよびＭＥＳ界面活性剤を含む）；および第二のグループから選択されるものを少なくとも１つ（前記第二のグループは、アルコキシル化アニオン性界面活性剤、ＭＥＳおよびアルコキシル化非イオン性界面活性剤およびαオレフィンスルホネート類（ＡＯＳ）を含む）；を組み合わせて含む。特に好ましい組み合わせは、アルキルベンゼンスルホネート、好ましくはＭＥＳと組み合わされたＬＡＳで構成されている。更に特に好ましい組み合わせは、アルキルベンゼンスルホネート、好ましくはアルコキシル化アニオン性界面活性剤、好ましくは１〜１０の平均アルコキシル化度を有するＣ８〜１８アルキルアルコキシル化サルフェートを含むＬＡＳで構成されている。第三の特に好ましい組み合わせは、アルキルベンゼンスルホネート、好ましくはアルコキシル化非イオン性界面活性剤、好ましくは１５〜５０、好ましくは２０〜４０のアルコキシル化度を有するＣ８〜１８アルキルエトキシル化アルコールと組み合わされたＬＡＳで構成されている。
【００７４】
第１グループの界面活性剤の重量比対第２グループの界面活性剤の重量比は、典型的には１：５〜１００：１、好ましくは１：２〜１００：１または１：１〜５０：１若しくは２０：１若しくは１０：１である。前記界面活性剤の濃度は、上記のように、特定の部類の界面活性剤のものである。前記系内のＡＥ３Ｓおよび／またはＭＥＳの存在は、リパーゼによる洗浄中に形成されるそれらの優れた硬度−許容度およびライム石鹸分散能故に好ましい。
【００７５】
別の実施形態では、本発明の洗剤組成物中の界面活性剤は、少なくとも３つの界面活性剤、すなわち、上記で定義した第１および第２グループの各々からの少なくとも１つおよび加えて第三の界面活性剤、好ましくはこれも上記で定義した第１または第２のグループからのもので、構成されている。
【００７６】
本発明の洗剤組成物は、意外にも比較的低い濃度の界面活性剤を含有してよいにもかかわらず、リパーゼによってもたらされる汚れ除去機能故に、それでも尚良好な洗浄を示し、したがって界面活性剤の総量が、組成物の総重量に対して、１２重量％未満、または１０重量％または８重量％としてもよい。
【００７７】
本発明の好適な実施例では、前記洗剤組成物は更に、泡促進剤を組成物の全重量を基準にして典型的には、０．０１〜１０重量％の量で、好ましくは０．０２〜５重量％の量で含む。好適な泡促進剤としては、脂肪酸アミド類、脂肪酸アルカロンアミド類（alkalonamides）、ベタイン類、スルホベタイン類およびアミンオキシド類が挙げられる。特に好ましい物質は、コカミドプロピルベタイン、ココモノエタノールアミドおよびアミンオキシドである。好適なアミンオキシドは、アドモックス（Admox）１２（アルベマーレ（Albemarle）により供給）である。
【００７８】
ライムソープ分散剤類
これらのリパーゼ酵素類は、汚れを洗浄水中に遊離するので、本発明の洗剤組成物が更に、以下で述べる高分子ポリカルボキシレート類などの再付着防止ポリマーを含むことが特に好ましい場合がある。加えて、またはもう一つの選択肢として、カルボキシメチルセルロース（ＣＭＣ）などのセルロースエーテルが有用である。好適なＣＭＣは、タイロース（Tylose）ＣＲ１５００  Ｇ２（クラリアント社（Clariant）により販売）である。好適なポリマー類は、アンダーコル社（Andercol）（コロンビア）（商標名テクスティラン（Textilan）にて）によっても販売されている。
【００７９】
ライムソープの分散性（dispersancy functionality）を有する添加物（例えば、アキュソル（Acusol）４６０Ｎ（ローム＆ハース社（Rohm & Haas）のように優れたライムソープ分散性（dispersancy）を示す、上述したＭＥＳ、ＡＥＳ、高度にエトキシル化した非イオン性界面活性剤またはポリマー類）を含むことが、特に好ましい。 好適なライムソープ分散剤の一覧は、次の参考文献および文献内で引用されている。
【００８０】
ＰＣＴ国際公開特許ＷＯ９４０７９７４（Ｐ＆Ｇ）、同ＷＯ９４０７９８４（Ｐ＆Ｇ）、同ＷＯ９４０７９８５（Ｐ＆Ｇ）、同９５０４８０６（Ｐ＆Ｇ）、同ＷＯ９７０３３７９（Ｐ＆Ｇ）、米国特許第６７７０６１０号（クラリアント社（Clariant））、欧州特許第０３２４５６８号（ローム＆ハース社（Rohm & Haas））、同第０７６８３７０号（ローム＆ハース社（Rohm & Haas））、Ｍ．Ｋ．ナガラジャン（Nagarajan）およびＷ．Ｆ．マスラー（Masler）著、化粧品およびトイレタリー（Cosmetics and Toiletries）、１９８９年、第１０４巻、７１〜７３頁、Ｗ．Ｍ．リンフィールド（Linfield）著、Ｔｅｎｓｉｄｅ  Ｓｕｒｆ．  Ｄｅｔ、１９９０年、第２７巻、１５９〜１６１頁、Ｒ．Ｇ．ビストリン（Bistline）ら著、米国油化学会誌（J. Am. Oil Chem.Soc）、１９７２年、第４９巻、６３〜６９頁。
【００８１】
汚れ遊離ポリマーの存在が、更に本発明の染み除去および洗浄効果（特に合成繊維に対して）を強化するのに特に有益であることを見出した。変性セルロースエーテル類、例えばクラリアント社（Clariant）によりタイロース（Tylose）ＭＨ５０  Ｇ４およびタイロース（Tylose）ＭＨ３００  Ｇ４として販売されているメチルヒドロキシエチルセルロース（ＭＨＥＣ）などが、好ましい。ポリエステルベースの汚れ遊離ポリマーは、ライムソープ分散剤としても効果的であり得るために、特に好ましい。好適な物質の例としては、リペル−オー−テックス（Repel-o-Tex）ＰＦ（ローディア社（Rhodia）により供給）、テックスケア（Texcare）ＳＲＡ１００（クラリアント社（Clariant）により供給）およびソカラン（Sokalan）ＳＲ１００（ＢＡＳＦ社）である。
【００８２】
前記処方は、一次洗浄リパーゼに加えて１つ以上の他の酵素類、例えばプロテアーゼ、アミラーゼ、セルラーゼ（特に、エンドグルカナーゼ）、ペクテートリアーゼおよび／またはマンナナーゼを含有してもよい。
【００８３】
本発明の洗剤組成物は、任意の都合の良い形態、例えば固体（例えば、粉末状または粒状または錠剤固体、棒状）または液体（水性または非水性、ゲルまたは液体）であることができる。これらの形態のいずれも、部分的にまたは完全にカプセル封止されていてもよい。しかし、本発明は特に固体洗剤組成物、特に粒状組成物に関する。本発明の洗剤組成物が固体である場合、通常、界面活性剤類は、凝集体、押出品または噴霧乾燥粒子内へ、固形物（通常は、ビルダー類）と共に組み込まれ、且つこれらは混合されて完全に配合された本発明の洗剤組成物を生成してよい。粒状形態で存在する場合、本発明の洗剤組成物は、３５０〜１２００ｇ／Ｌ、より好ましくは４５０〜１０００ｇ／Ｌまたはさらに５００〜９００ｇ／Ｌの全体の嵩密度を有するものが好ましい。好ましくは、粒状形態の洗剤組成物の洗剤粒子は、２００μｍ〜２０００μｍ、好ましくは３５０μｍ〜６００μｍの平均粒径を有する。
【００８４】
一般に本発明の洗剤組成物は、粒塊、噴霧乾燥粉末および／または乾燥添加材料（例えば漂白剤、酵素など）の組み合わせを包含する洗剤粒子の混合物を含む。
【００８５】
発明の１つの態様では、本発明の洗剤組成物類は、下記リストからのアニオン性界面活性剤（非アルコキシル化アニオン性洗浄性界面活性剤であり、且つこれは好ましくは前記洗剤組成物中へ微粒子形態にて、例えば凝集体、噴霧乾燥粉末、押出品、ビード、麺状、針状またはフレークとして組み込まれるものを含む。噴霧乾燥粒子が好ましい。凝集体である場合、前記凝集体は好ましくは少なくとも前記凝集体の２０重量％の非アルコキシル化アニオン性洗浄性界面活性剤を、より好ましくは前記凝集体の２５重量％〜６５重量％の非アルコキシル化アニオン性洗浄性界面活性剤を含む。非アルコキシル化アニオン性洗浄性界面活性剤の一部が、噴霧乾燥粉末、例えば、吹き飛ばされた粉末の形態であり、前記非アルコキシル化アニオン性洗浄性界面活性剤の一部が、非噴霧乾燥粉末（例えば、凝集体、または押出品、または直鎖アルキルベンゼンスルホネートフレークのようなフレーク；好適な直鎖アルキルベンゼンスルホネートフレークは、パイロットケミカル社（Pilot Chemical）から商標名Ｆ９０Ｒ（登録商標）で、またはステパン（Stepan）から商標名ナコノール９０Ｇ（Nacconol 90G）（登録商標）で供給されている）の形態であることが好ましいことがある。これは、前記組成物中に高濃度の非アルコキシル化アニオン性洗浄界面活性剤を組み込むのが望ましい場合に特に好ましい。
【００８６】
任意のアルコキシル化アニオン性洗浄性界面活性剤が、非噴霧乾燥粉末、例えば、押出品、凝集体、好ましくは凝集体の噴霧乾燥粒子によって、本発明の洗剤組成物中に組み込まれてもよい。高濃度のアルコキシル化アニオン性洗浄性界面活性剤を前記組成物中に組み込むことが好ましい場合には、非噴霧乾燥粒子が好ましい。
【００８７】
任意の非イオン性洗浄性界面活性剤またはその少なくとも一部は、前記組成物中に液体噴霧された形態で組み込まれることが可能であり、この場合、液状（例えば、ホットメルト形態）の非イオン性洗浄性界面活性剤またはその少なくとも一部が前記組成物の残余部分に噴霧される。前記非イオン性洗浄性界面活性剤または少なくともその一部は、本発明の洗剤組成物中に組み込まれるために粒子内に含有されてよく、且つ前記非イオン性洗浄性界面活性剤または少なくともその一部は、前記組成物の残余部分に乾燥状態で追加されてよい。非イオン性洗浄性界面活性剤またはその少なくとも一部は、炭酸塩、硫酸塩、バーク石、シリカ、またはこれらのいずれかの混合物などの固体キャリア材料との共同粒子混合体の形態であってよい。
【００８８】
任意の非イオン性洗浄性界面活性剤またはその少なくとも一部は、アルコキシル化アニオン性洗浄性界面活性剤、非アルコキシル化アニオン性洗浄性界面活性剤、またはカチオン性洗浄性界面活性剤のいずれかとの共同粒子混合体であってもよい。非イオン性洗浄性界面活性剤またはその少なくとも一部は、アルコキシル化アニオン性洗浄性界面活性剤、非アルコキシル化アニオン性洗浄性界面活性剤またはカチオン性洗浄性界面活性剤のいずれかと共に凝集または押出成形されてもよい。
【００８９】
前記カチオン性洗浄性界面活性剤が存在する場合、噴霧乾燥粉末、凝集体、押出品、フレーク、麺状、針状、またはこれらの任意の組み合わせのような微粒子で組み込むことによって、前記組成物中に組み込まれてもよい。好ましくは、カチオン性洗浄性界面活性剤またはその少なくとも一部は、噴霧乾燥された粉末または凝集の形態である。
【００９０】
任意の洗浄性補助剤
任意に、洗剤成分は、洗浄性能、洗浄されるべき基材の処理を補助若しくは向上させる、または洗剤組成物の審美性を改善するために、１以上の他の洗浄性補助剤またはその他の材料を包含することができる。洗剤組成物の通常の洗浄性補助剤としては、米国特許第３，９３６，５３７号（バスカービレ（Baskerville）ら）および英国特許出願９７０５６１７．０号（トリン（Trinh）ら、１９９７年９月２４日公開）に記載される成分が挙げられる。このような補助剤は、洗剤組成物中に慣用的な業界確立使用レベルで、通常洗剤成分の０〜約８０重量％、好ましくは約０．５重量％〜約２０重量％で含有され、色スペックル、泡促進剤、泡抑制剤、曇り防止剤および／または腐食防止剤、汚れ懸濁剤、汚れ遊離剤、染料、充填剤、蛍光増白剤、殺菌剤、アルカリ性供給源、屈水性誘発物質、酸化防止剤、酵素、酵素安定剤、溶媒、溶解剤、キレート剤、土汚れ除去／再付着防止剤、ポリマー分散剤、加工助剤、布地柔軟化成分、静電気抑制剤、漂白剤、漂白活性化剤、漂白安定化剤、移染防止剤、凝集剤、布地柔軟剤、泡抑制剤、布地統合剤（fabric integrity agent）、香料、増白剤、光漂白剤、アルカリ金属サルフェート、スルファミン酸、硫酸ナトリウムおよびスルファミン酸複合体等並びにこれらの組み合わせが挙げられる。これら付加的な構成成分の厳密な性質およびそれらの組み込み濃度は、組成物または構成成分の物理的形態、およびそれが使用される洗浄操作の厳密な性質に依存する。
【００９１】
好ましい双性イオン性界面活性剤は、１つ以上の第四級化窒素原子と、カーボネート、ホスフェート、サルフェート、スルホネート、およびこれらの組み合わせから成る群から選択される１つ以上の部分とを含む。好ましい双性イオン性界面活性剤は、アルキルベタイン類である。他の好ましい双性イオン性界面活性剤は、アルキルアミンオキシド類である。また、カチオン性界面活性剤およびアニオン性界面活性剤を含む複合物であるカタニオニック界面活性剤も含まれてよい。典型的には、複合物中のカチオン性界面活性剤のアニオン性界面活性剤に対するモル比は１：１より大きいので、複合物は、結果的に正味の正電荷を有する。
【００９２】
本発明の組成物は、漂白促進剤を含んでよい。好ましい漂白促進剤は、双性イオン性イミン類、アニオン性イミンポリイオン類、第四級オキサジリジニウム（oxaziridinium）塩、およびこれらの組み合わせから成る群より選択される。好適な漂白促進剤は、米国特許第３６０５６８号、同第５３６０５６９号および同第５３７０８２６号に記載されている。
【００９３】
好ましい補助構成成分の１つは、再付着防止剤である。好ましくは、洗剤組成物は、１つ以上の再付着防止剤を含む。好ましい再付着防止剤は、セルロース系ポリマー構成成分であり、最も好ましくはカルボキシメチルセルロース類である。
【００９４】
好ましい補助構成成分の１つは、キレート剤である。好ましくは、洗剤組成物は、１つ以上のキレート剤を含む。好ましくは、前記洗剤組成物は、（組成物の重量で）０．０１％〜１０％、または０．０１〜５重量％または４重量％〜２重量％のキレート剤を含む。好ましいキレート剤は、ヒドロキシエタンジメチレンホスホン酸、エチレンジアミンテトラ（メチレンホスホン）酸、ジエチレントリアミン五酢酸、エチレンジアミン四酢酸、ジエチレントリアミンペンタ（メチルホスホン）酸、エチレンジアミン二コハク酸、およびこれらの組み合わせから成る群より選択される。
【００９５】
好ましい補助構成成分の１つは、移染防止剤である。好ましくは、洗剤組成物は、１つ以上の移染防止剤を含む。典型的には、移染防止剤は、染料分子を捕捉し、染料分子を洗浄液に懸濁させることによって当該染料分子を保持する、ポリマー構成成分である。好ましい移染防止剤は、ポリビニルピロリドン類、ポリビニルピリジンＮ−酸化物類、ポリビニルピロリドン−ポリビニルイミダゾールコポリマー類、およびこれらの組み合わせから成る群から選択される。
【００９６】
好ましい補助構成成分には他の酵素が挙げられる。好ましくは、洗剤組成物は、１以上の追加の酵素を含む。好ましい酵素は、アミラーゼ類、アラビノシダーゼ類、カルボヒドラーゼ類、セルラーゼ類、コンドロイチナーゼ類、クチナーゼ類、デキストラナーゼ類、エステラーゼ類、β−グルカナーゼ類、グルコ−アミラーゼ類、ヒアルロニダーゼ類、ケラタナーゼ類、ラッカーゼ類、リグニナーゼ類、リポキシゲナーゼ類、マラナーゼ類、マンナナーゼ類、オキシダーゼ類、ペクチナーゼ類、ペントサナーゼ類、ペルオキシダーゼ類、フェノールオキシダーゼ類、ホスホリパーゼ類、プロテアーゼ類、プルラナーゼ類、レダクターゼ類、タンナーゼ類、トランスフェラーゼ類、キシラナーゼ類、キシログルカナーゼ類、およびこれらの組み合わせから成る群から選択される。好ましい追加酵素は、アミラーゼ類、カルボヒドラーゼ類、セルラーゼ類、プロテアーゼ類、およびこれらの組み合わせから成る群から選択される。
【００９７】
好ましい補助構成成分の１つは、布地保全剤（fabric integrity agent）である。好ましくは、洗剤組成物は、１つ以上の布地保全剤を含む。典型的には、布地保全剤は、洗濯プロセス中に布地表面に付着して布地の損傷を防ぐポリマー構成成分である。好ましい布地保全剤は、疎水変性セルロース類である。これら疎水変性セルロース類は、布地の磨耗を低減し、繊維間の相互作用を向上させて、布地の色落ちを軽減する。好ましい疎水変性セルロースは、ＰＣＴ国際公開特許ＷＯ９９／１４２４５号に記載されている。他の好ましい布地保全剤は、イミダゾールとエピクロロヒドリンとを縮合させる工程を含むプロセスによって得ることが可能である、好ましくは得られる、ポリマー構成成分および／またはオリゴマー構成成分である。
【００９８】
好ましい補助構成成分の１つは、塩である。好ましくは、洗剤組成物は、１つ以上の塩類を含む。塩類は、アルカリ性剤、緩衝液、ビルダー、補助ビルダー（co-builder）、湯あか（encrustation）阻害物質、充填剤、ｐＨ調整剤、安定剤、およびこれらの組み合わせとして作用することができる。典型的には、洗剤組成物は、（当該組成物の）５重量％〜６０重量％の塩を含む。好ましい塩類は、アルミン酸アルカリ金属塩、炭酸アルカリ金属塩、塩化アルカリ金属塩、重炭酸アルカリ金属塩、硝酸アルカリ金属塩、リン酸アルカリ金属塩、ケイ酸アルカリ金属塩、硫酸アルカリ金属塩、およびこれらの組み合わせである。他の好ましい塩類は、アルミン酸アルカリ土類金属塩、炭酸アルカリ土類金属塩、塩化アルカリ土類金属塩、重炭酸アルカリ土類金属塩、硝酸アルカリ土類金属塩、リン酸アルカリ土類金属塩、ケイ酸アルカリ土類金属塩、硫酸アルカリ土類金属塩、およびこれらの組み合わせである。特に好ましい塩類は、硫酸ナトリウム、炭酸ナトリウム、重炭酸ナトリウム、ケイ酸ナトリウム、硫酸ナトリウム、およびこれらの組み合わせである。所望により、アルカリ金属塩および／またはアルカリ土類金属塩類は、無水物であってもよい。
【００９９】
好ましい補助構成成分の１つは、汚れ遊離剤である。好ましくは、洗剤組成物は、１つ以上の汚れ放出剤を含む。典型的には、汚れ放出剤は、布地表面を変性させて布地に汚れが再付着するのを防ぐポリマー化合物である。好ましい汚れ放出剤は、１つ以上のテレフタレート単位を含むコポリマー類、好ましくはブロックコポリマー類である。好ましい汚れ放出剤は、ジメチルテレフタレート、１，２−プロピルグリコール、およびメチル末端保護された（methyl capped）ポリエチレングリコールから合成されるコポリマー類である。他の好ましい汚れ放出剤は、アニオンで末端保護された（anionically end capped）ポリエステル類である。
【０１００】
本発明の組成物が、少なくとも０．１重量％、または少なくとも０．５重量％、または少なくとも２〜３重量、または更に少なくとも５重量％の高分子ポリカルボキシレート類を３０重量％または２０重量％または１０重量％以下の濃度で含むことが望ましい場合もある。好ましい高分子ポリカルボキシレート類としては、ポリアクリレート類およびマレイン酸とアクリル酸とのコポリマー類が挙げられる。好適なポリカルボキシレート類は、ソカラン（Sokalan）ＣＰ、ＰＡおよびＨＰ類（ＢＡＳＦ社）（例えば、ソカラン（Sokalan）ＣＰ５、ＰＡ４０およびＨＰ２２）、および一連のポリマー類（Ａｌｃｏ）であるアルコスパース（Alcosperse）（例えば、アルコスパース（Alcosperse）７２５、７４７、４０８、４１２および４２０）である。
【０１０１】
前記組成物が、例えば次の式を有する汚れ分散剤を含んでいることも好ましい。
ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）
を有する汚れ分散剤を含むことが好ましいこともある（式中、ｎは２０〜３０であり、ｘは３〜８である）。他の好適な汚れ分散剤類は、次の式を有するスルホン酸化または硫酸化された汚れ分散剤類である。
スルホン酸化または硫酸化されたビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）
を有する汚れ分散剤を含むことが好ましいこともある（式中、ｎは２０〜３０であり、ｘは３〜８である）。好ましくは、前記組成物は、少なくとも１重量％、または少なくとも２重量％、あるいは少なくとも３重量％の汚れ分散剤類を含む。
【０１０２】
柔軟化システム
本発明の洗剤組成物は、粘土のような、洗浄を通じて柔軟化させる柔軟化剤を含んでもよく、所望により凝集剤および酵素も共に含んでよい。
【０１０３】
好適な洗剤構成成分についての更なる明確な記述は、ＰＣＴ国際公開特許ＷＯ９７／１１１５１に見ることができる。
【０１０４】
洗浄方法
本発明は、繊維材料を本発明の洗剤組成物を含む水溶液と接触させることを含む、繊維材料の洗浄方法も含む。本発明は、低い水温、例えば３０℃以下または２５℃以下若しくは２０℃のような低い水温にて特に有益な場合がある。通常、水性洗浄液は、少なくとも１００ｐｐｍ、または少なくとも５００ｐｐｍの洗剤組成物を含む。 
【実施例】
【０１０５】
以下は、本発明の実施例である。
【表１】
2008531758.tif 000004
【配列表】
2008531758000001.xml
【国際調査報告】
2008531758.tif 000007
2008531758.tif 000008
2008531758.tif 000009